(57)【要約】【課題】不揮発性表示部を備えた表示装置は、検索ワードなどの検索条件を入力して表示情報の検索を行うということに関しては不向きである。そこで本発明は、不揮発性表示部を備えた表示装置で検索条件を入力することなく、利用者が不揮発性表示部を備えた表示装置に所望の表示情報の検索を行わせることができる表示情報検索システムを提供することを目的とする。【解決手段】利用者は携帯電話５０を利用して、表示装置１００に表示情報の検索を行わせることができ、検索結果である表示情報のリストを表示装置１００若しくは携帯電話５０に表示させることができる。【選択図】図２
2011076401.tif 000002
【特許請求の範囲】
【請求項１】
表示情報を記憶する表示装置と、前記表示装置に記憶された表示情報を検索するための検索条件を入力する検索用装置とを備えた表示情報検索システムであって、
前記検索用装置は、
利用者の入力操作が行われる第二操作部と、
像を表示する表示部と、
前記表示装置と通信を行う第二通信部と、
前記第二操作部を介して利用者に入力される検索条件を取得する検索条件取得部と、
前記検索条件取得部により取得した検索条件を、第二通信部を介して前記表示装置に送信する検索条件送信部と、
を備え、
前記表示装置は、
電力の供給が断たれても像の表示が維持される不揮発性表示部と、
前記検索用装置と通信を行う第一通信部と、
複数の表示情報を記憶する記憶部と、
前記第一通信部を介して受信した検索条件に合致する表示情報のリストを作成するリスト作成部と、
を備えたことを特徴とする表示情報検索システム。
【請求項２】
前記表示装置は、
前記リスト作成部により作成されたリストを、不揮発性表示部に表示する第一リスト表示部、
を備えたことを特徴とする請求項１に記載の表示情報検索システム。
【請求項３】
前記表示装置は、
利用者の入力操作が行われる第一操作部と、
前記第一リスト表示部により表示されたリストの中から、表示させる表示情報を決定する決定操作を、前記第一操作部を介して受け付ける第一決定操作受付部と、
前記第一決定操作受付部により決定された表示情報を、前記不揮発性表示部に表示させる第一表示情報表示部と、
を備えたことを特徴とする請求項２に記載の表示情報検索システム。
【請求項４】
前記第一通信部及び前記第二通信部は、所定のプロトコルに従った無線通信による接続を行うものであり、
前記検索用装置は、
前記検索条件送信部による検索条件の送信前に、前記第二通信部に前記第一通信部との接続を行わせる接続部、
を備え、
前記表示装置は、
前記不揮発性表示部に表示された表示情報の出力部分の変更操作を受け付ける変更操作受付部と、
前記変更操作受付部により受け付けた変更操作に従って、表示情報の出力部分の変更を前記不揮発性表示部に行わせる出力部分変更部と、
前記変更操作受付部により変更操作を受け付けた後、前記第一通信部に前記第一通信部との接続の切断を行わせる切断部と、を備え、
前記表示装置の検索条件取得部は、前記切断部による切断が行われるまでの間、前記第二操作部を介して利用者に入力される２回目以降の検索条件を取得する、
ことを特徴とする請求項３に記載の表示情報検索システム。
【請求項５】
前記第一表示装置は、
前記第一リスト表示部により表示されたリストの中から、プレビュー画像を表示させる表示情報を決定するプレビュー表示決定操作を、前記第一操作部を介して受け付ける第一プレビュー表示決定操作受付部と、
前記第一プレビュー表示決定操作受付部により受け付けた表示情報のプレビュー画像を、前記不揮発性表示部に表示させる第一プレビュー表示部と、
前記プレビュー表示部によりプレビュー画像を表示後、前記リストの中の別の表示情報のプレビュー画像へ切り替えるプレビュー切り替え操作を、前記第一操作部を介して受け付けるプレビュー切り替え操作受付部と、
前記プレビュー切り替え操作受付部によりプレビュー切り替え操作を受け付け後、前記別の表示情報のプレビュー画像を前記不揮発性表示部に表示させるプレビュー画像切り替え部と、
を備えたことを特徴とする請求項２に記載の表示情報検索システム。
【請求項６】
前記表示装置は、
前記リスト作成部により作成されたリストに、表示情報が一つしかない場合、前記不揮発性表示部に、その表示情報を表示させる第二表示情報表示部、
を備えたことを特徴とする請求項２に記載の表示情報検索システム。
【請求項７】
前記表示装置は、
前記リスト作成部により作成されたリストを、前記第一通信部を介して前記検索用装置へ送信するリスト送信部と、
を備え、
前記検索用装置は、
前記第二通信部を介して受信したリストを、前記表示部に表示する第二リスト表示部と、
を備えたことを特徴とする請求項１に記載の表示情報検索システム。
【請求項８】
前記検索用装置は、
前記第二リスト表示部により表示されたリストの中から、表示させる表示情報を決定する決定操作を、前記第二操作部を介して受け付ける第二決定操作受付部と、
前記決定操作受付部により決定された表示情報を表示させる表示指示を、前記第二通信部を介して表示装置に送信する表示指示送信部と、
を備え、
前記表示装置は、
前記第一通信部により受信した表示指示が示す表示情報を、前記不揮発性表示部に表示させる第三表示情報表示部を
備えたことを特徴とする請求項７に記載の表示情報検索システム。
【請求項９】
前記第一通信部及び前記第二通信部は、所定のプロトコルに従った無線通信による接続を行うものであり、
前記検索用装置は、
前記検索条件送信部による検索条件の送信前に、前記第二通信部に前記第一通信部との接続を行わせる接続部、
を備え、
前記表示装置は、
前記不揮発性表示部に表示された表示情報の出力部分の変更操作を受け付ける変更操作受付部と、
前記変更操作受付部により受け付けた変更操作に従って、表示情報の出力部分の変更を前記不揮発性表示部に行わせる出力部分変更部と、
前記変更操作受付部により変更操作を受け付けた後、前記第一通信部に前記第一通信部との接続の切断を行わせる切断部と、を備え、
前記表示装置の検索条件取得部は、前記切断部による切断が行われるまでの間、前記第二操作部を介して利用者に入力される２回目以降の検索条件を取得する、
ことを特徴とする請求項８に記載の表示情報検索システム。
【請求項１０】
前記表示装置の前記リスト送信部は、前記リストとともに前記リスト中の表示情報のプレビュー画像を送信し、
前記検索用装置は、
前記第二リスト表示部により表示されたリストの中から、プレビュー画像を表示させる表示情報を決定するプレビュー表示決定操作を、前記第二操作部を介して受け付ける第二プレビュー表示決定操作受付部と、
前記第二プレビュー表示決定操作受付部により受け付けた表示情報のプレビュー画像を、前記不揮発性表示部に表示させる第二プレビュー表示部と、
を備えたことを特徴とする請求項７に記載の表示情報検索システム。
【請求項１１】
請求項１に記載の表示装置であって、
電力の供給が断たれても像の表示が維持される不揮発性表示部と、
前記検索用装置と通信を行う第一通信部と、
複数の表示情報を記憶する記憶部と、
前記第一通信部を介して受信した検索条件に合致する表示情報のリストを作成するリスト作成部と、
を備えたことを特徴とする表示装置。
【請求項１２】
請求項１に記載の表示装置であって、電力の供給が断たれても像の表示が維持される不揮発性表示部と、前記検索用装置と通信を行う第一通信部と、複数の表示情報を記憶する記憶部と、を備えた表示装置のコンピュータに、
前記第一通信部を介して受信した検索条件に合致する表示情報のリストを作成するリスト作成ステップを実行させることを特徴とする表示装置のプログラム。
【請求項１３】
請求項１に記載の検索用装置であって、利用者の入力操作が行われる第二操作部と、像を表示する表示部と、前記表示装置と通信を行う第二通信部と、を備えた検索用装置のコンピュータに、
前記第二操作部を介して利用者に入力される検索条件を取得する検索条件取得ステップと、
前記検索条件取得部により取得した検索条件を、第二通信部を介して前記表示装置に送信する検索条件送信ステップと、
を実行させることを特徴とする検索用装置のプログラム。
【発明の詳細な説明】
【技術分野】
【０００１】
本発明は、表示装置の表示情報検索システム、表示装置、表示装置のプログラム、及び、検索用装置のプログラムに関するものである。
【背景技術】
【０００２】
従来から、電力の供給が絶たれても画像の表示が維持される表示装置が知られている（例えば、特許文献１）。このような表示装置は、電気泳動型の表示素子やコレステリック液晶等を備えた不揮発性表示部を有する。このような不揮発性表示部は画像の書きかえを行う場合は電力を消費するが、書きかえた後の画像の表示を維持するためには電力を消費しない。よって、不揮発性表示部を備えた表示装置は、電力の消費を抑えることができる。
【先行技術文献】
【特許文献】
【０００３】
【特許文献１】特開２００８−１９７９５３号公報
【発明の概要】
【発明が解決しようとする課題】
【０００４】
不揮発性表示部を備えた表示装置において、ＱＷＥＲＴＹ配列のキーボード等を備えた表示装置が知られている。このような表示装置において、上述のキーボード等のデバイスを用いたグラフィカルユーザインターフェースにより所定の検索ワード等の検索条件を利用者に入力させ、表示装置のメモリに記憶されており表示装置で表示可能な表示情報を利用者が検索できるものがある。
【０００５】
しかしながら、キーボード等のデバイスを用いたグラフィカルユーザインターフェースを利用して検索ワード等の検索条件を入力させる場合、不揮発性表示部に表示する画像を頻繁に書きかえる必要がある。利用者がキーボードを用いて文字を入力する都度、その入力された文字を表示させるために不揮発性表示部の画像を更新させる必要があるからである。このように画像を頻繁に書きかえると、電力の消費を抑えることができるという不揮発性表示部を備えた表示装置の利点が阻害される恐れがある。このように不揮発性表示部を備えた表示装置は、検索ワードなどの検索条件を入力して表示情報の検索を行うということに関しては不向きである。
【０００６】
そこで本発明は、不揮発性表示部を備えた表示装置で検索条件を入力することなく、検索用装置に検索条件を入力することで利用者が所望の表示情報の検索を表示装置に行わせることができる表示情報検索システムを提供することを目的とする。
【課題を解決するための手段】
【０００７】
上述の課題を解決するため請求項１に記載の表示情報検索システムは、表示情報を記憶する表示装置と、前記表示装置に記憶された表示情報を検索するための検索条件を入力する検索用装置とを備えた表示情報検索システムであって、前記検索用装置は、利用者の入力操作が行われる第二操作部と、像を表示する表示部と、前記表示装置と通信を行う第二通信部と、前記第二操作部を介して利用者に入力される検索条件を取得する検索条件取得部と、前記検索条件取得部により取得した検索条件を、第二通信部を介して前記表示装置に送信する検索条件送信部と、を備え、前記表示装置は、電力の供給が断たれても像の表示が維持される不揮発性表示部と、前記検索用装置と通信を行う第一通信部と、複数の表示情報を記憶する記憶部と、前記第一通信部を介して受信した検索条件に合致する表示情報のリストを作成するリスト作成部と、を備えたことを特徴とする。
【０００８】
請求項１に記載の表示情報検索システムによれば、利用者は、検索用装置に検索条件を入力することにより所望の表示情報の検索を表示装置に行なわせることができるため、利用者は不揮発性表示部をそなえた表示装置に検索条件を入力することなく、利用者が所望の表示情報の検索を前記表示装置に行うわせることができる。検索結果である表示情報のリストは、表示装置若しくは検索用装置もしくはそれら以外の第三の装置に表示させればよい。
【０００９】
また、請求項２に記載の表示情報検索システムは、請求項１に記載の表示情報検索システムが有する特徴に加え、前記表示装置は、前記リスト作成部により作成されたリストを、不揮発性表示部に表示する第一リスト表示部、を備えたことを特徴とする。
【００１０】
請求項２に記載の表示情報検索システムによれば、請求項１に記載の表示情報検索システムが有する効果に加え、利用者は表示装置で検索条件に合致する表示情報のリストを確認することができる。
【００１１】
また、請求項３に記載の表示情報検索システムは、請求項２に記載の表示情報検索システムが有する特徴に加え、前記表示装置は、利用者の入力操作が行われる第一操作部と、前記第一リスト表示部により表示されたリストの中から、表示させる表示情報を決定する決定操作を、前記第一操作部を介して受け付ける第一決定操作受付部と、前記第一決定操作受付部により決定された表示情報を、前記不揮発性表示部に表示させる第一表示情報表示部と、を備えたことを特徴とする。
【００１２】
請求項３に記載の表示情報検索システムによれば、請求項２に記載の表示情報検索システムが有する効果に加え、利用者は表示装置で前記リストの中から所望の表示情報を選択して、表示装置に所望の表示情報を表示させることができる。
【００１３】
また、請求項４に記載の表示情報検索システムは、請求項３に記載の表示情報検索システムが有する特徴に加え、前記第一通信部及び前記第二通信部は、所定のプロトコルに従った無線通信による接続を行うものであり、前記検索用装置は、前記検索条件送信部による検索条件の送信前に、前記第二通信部に前記第一通信部との接続を行わせる接続部を備え、前記表示装置は、前記不揮発性表示部に表示された表示情報の出力部分の変更操作を受け付ける変更操作受付部と、前記変更操作受付部により受け付けた変更操作に従って、表示情報の出力部分の変更を前記不揮発性表示部に行わせる出力部分変更部と、前記変更操作受付部により変更操作を受け付けた後、前記第一通信部に前記第一通信部との接続の切断を行わせる切断部と、を備え、前記表示装置の検索条件取得部は、前記切断部による切断が行われるまでの間、前記第二操作部を介して利用者に入力される２回目以降の検索条件を取得することを特徴とする。
【００１４】
請求項４に記載の表示情報検索システムによれば、請求項３に記載の表示情報検索システムが有する効果に加え、２回目以降の検索の際に、前記第一通信部と前記第二通信部との接続確立までの待ち時間を省略することができる。
【００１５】
また、請求項５に記載の表示情報検索システムは、請求項２に記載の表示情報検索システムが有する特徴に加え、前記第一表示装置は、前記第一リスト表示部により表示されたリストの中から、プレビュー画像を表示させる表示情報を決定するプレビュー表示決定操作を、前記第一操作部を介して受け付ける第一プレビュー表示決定操作受付部と、前記第一プレビュー表示決定操作受付部により受け付けた表示情報のプレビュー画像を、前記不揮発性表示部に表示させる第一プレビュー表示部と、前記プレビュー表示部によりプレビュー画像を表示後、前記リストの中の別の表示情報のプレビュー画像へ切り替えるプレビュー切り替え操作を、前記第一操作部を介して受け付けるプレビュー切り替え操作受付部と、前記プレビュー切り替え操作受付部によりプレビュー切り替え操作を受け付け後、前記別の表示情報のプレビュー画像を前記不揮発性表示部に表示させるプレビュー画像切り替え部と、を備えたことを特徴とする。
【００１６】
請求項５に記載の表示情報検索システムによれば、請求項２に記載の表示情報検索システムが有する効果に加え、利用者は表示装置においてプレビュー画像で前記リスト中の表示情報を確認することができる。
【００１７】
また、請求項６に記載の表示情報検索システムは、請求項２に記載の表示情報検索システムが有する特徴に加え、前記表示装置は、前記リスト作成部により作成されたリストに、表示情報が一つしかない場合、前記不揮発性表示部に、その表示情報を表示させる第二表示情報表示部、を備えたことを特徴とする。
【００１８】
請求項６に記載の表示情報検索システムによれば、請求項２に記載の表示情報検索システムが有する効果に加え、検索結果の表示情報が一つしかない場合、その表示情報が直ちに前記不揮発性表示部に表示される。これにより、利用者がリストから表示情報を選択する手間を省略することができる。
【００１９】
また、請求項７に記載の表示情報検索システムは、請求項１に記載の表示情報検索システムが有する特徴に加え、前記表示装置は、前記リスト作成部により作成されたリストを、前記第一通信部を介して前記検索用装置へ送信するリスト送信部と、を備え、前記検索用装置は、前記第二通信部を介して受信したリストを、前記表示部に表示する第二リスト表示部と、を備えたことを特徴とする。
【００２０】
請求項７に記載の表示情報検索システムによれば、請求項１に記載の表示情報検索システムが有する効果に加え、利用者は検索用装置で検索条件に合致する表示情報のリストを確認することができる。
【００２１】
また、請求項８に記載の表示情報検索システムは、請求項７に記載の表示情報検索システムが有する特徴に加え、前記検索用装置は、前記第二リスト表示部により表示されたリストの中から、表示させる表示情報を決定する決定操作を、前記第二操作部を介して受け付ける第二決定操作受付部と、前記決定操作受付部により決定された表示情報を表示させる表示指示を、前記第二通信部を介して表示装置に送信する表示指示送信部と、を備え、前記表示装置は、前記第一通信部により受信した表示指示が示す表示情報を、前記不揮発性表示部に表示させる第三表示情報表示部を備えたことを特徴とする。
【００２２】
請求項８に記載の表示情報検索システムによれば、請求項７に記載の表示情報検索システムが有する効果に加え、利用者は検索用装置で前記リストの中から所望の表示情報を選択して、表示装置に所望の表示情報を表示させることができる。
【００２３】
また、請求項９に記載の表示情報検索システムは、請求項８に記載の表示情報検索システムが有する特徴に加え、前記第一通信部及び前記第二通信部は、所定のプロトコルに従った無線通信による接続を行うものであり、前記検索用装置は、前記検索条件送信部による検索条件の送信前に、前記第二通信部に前記第一通信部との接続を行わせる接続部、を備え、前記表示装置は、前記不揮発性表示部に表示された表示情報の出力部分の変更操作を受け付ける変更操作受付部と、前記変更操作受付部により受け付けた変更操作に従って、表示情報の出力部分の変更を前記不揮発性表示部に行わせる出力部分変更部と、前記変更操作受付部により変更操作を受け付けた後、前記第一通信部に前記第一通信部との接続の切断を行わせる切断部と、を備え、前記表示装置の検索条件取得部は、前記切断部による切断が行われるまでの間、前記第二操作部を介して利用者に入力される２回目以降の検索条件を取得することを特徴とする。
【００２４】
請求項９に記載の表示情報検索システムによれば、請求項８に記載の表示情報検索システムが有する効果に加え、２回目以降の検索の際に、前記第一通信部と前記第二通信部との接続確立までの待ち時間を省略することができる。
【００２５】
また、請求項１０に記載の表示情報検索システムは、請求項７に記載の表示情報検索システムが有する特徴に加え、前記表示装置の前記リスト送信部は、前記リストとともに前記リスト中の表示情報のプレビュー画像を送信し、前記検索用装置は、前記第二リスト表示部により表示されたリストの中から、プレビュー画像を表示させる表示情報を決定するプレビュー表示決定操作を、前記第二操作部を介して受け付ける第二プレビュー表示決定操作受付部と、前記第二プレビュー表示決定操作受付部により受け付けた表示情報のプレビュー画像を、前記不揮発性表示部に表示させる第二プレビュー表示部と、を備えたことを特徴とする。
【００２６】
請求項１０に記載の表示情報検索システムによれば、請求項７に記載の表示情報検索システムが有する効果に加え、利用者は検索用装置においてプレビュー画像で前記リスト中の表示情報を確認することができる。
【００２７】
また、請求項１１に記載の表示装置は、請求項１に記載の表示装置であって、電力の供給が断たれても像の表示が維持される不揮発性表示部と、前記検索用装置と通信を行う第一通信部と、複数の表示情報を記憶する記憶部と、前記第一通信部を介して受信した検索条件に合致する表示情報のリストを作成するリスト作成部と、を備えたことを特徴とする。
【００２８】
また、請求項１２に記載の表示装置のプログラムは、請求項１に記載の表示装置であって、電力の供給が断たれても像の表示が維持される不揮発性表示部と、前記検索用装置と通信を行う第一通信部と、複数の表示情報を記憶する記憶部と、を備えた表示装置のコンピュータに、前記第一通信部を介して受信した検索条件に合致する表示情報のリストを作成するリスト作成ステップを実行させることを特徴とする。
【００２９】
また、請求項１３に記載の検索用装置のプログラムは、請求項１に記載の検索用装置であって、利用者の入力操作が行われる第二操作部と、像を表示する表示部と、前記表示装置と通信を行う第二通信部と、を備えた検索用装置のコンピュータに、前記第二操作部を介して利用者に入力される検索条件を取得する検索条件取得ステップと、前記検索条件取得部により取得した検索条件を、第二通信部を介して前記表示装置に送信する検索条件送信ステップと、を実行させることを特徴とする。
【発明の効果】
【００３０】
不揮発性表示部を備えた表示装置で検索条件を入力することなく、検索用装置に検索条件を入力することで利用者が所望の表示情報の検索を表示装置に行わせることができる。検索結果である表示情報のリストは、表示装置若しくは検索用装置もしくはそれら以外の第三の装置に表示させればよい。
【図面の簡単な説明】
【００３１】
【図１】検索システム１の概略図である。
【図２】第一実施形態における、携帯電話５０と、表示装置１００との状態の遷移を表す状態遷移図である。
【図３】携帯電話５０の外観を示す外観図である。
【図４】携帯電話５０のハードウェア構成を示すブロック図である。
【図５】表示装置１００の外観を示す外観図である。
【図６】表示装置１００のハードウェアの構成を示すブロック図である。
【図７】メモリカード１２０に設けられる記憶領域の構成を示す概念図である。
【図８】検索インデックスファイルのデータ構造を示す概念図である。
【図９】コンテンツデータのデータ構成を示す模式図である。
【図１０】ＲＡＭ１０２に設けられる記憶領域を示した概念図である。
【図１１】検索アプリ処理のフローチャートである。
【図１２】第一実施形態におけるコンテンツ検索ワード入力処理のフローチャートである。
【図１３】表示装置処理のフローチャートである。
【図１４】第一実施形態におけるコンテンツ検索処理のフローチャートである。
【図１５】検索処理のフローチャートである。
【図１６】第二実施形態における、携帯電話５０と、表示装置１００との状態の遷移を表す状態遷移図である。
【図１７】第二実施形態におけるコンテンツ検索ワード入力処理のフローチャートである。
【図１８】第二実施形態におけるコンテンツ検索処理のフローチャートである。
【図１９】第一実施形態の変形例におけるコンテンツ検索処理の一部の流れを示したフローチャートである。
【発明を実施するための形態】
【００３２】
以下に、本発明が適用される検索システム１について説明する。
【００３３】
＜検索システム１の概要＞
先ず、検索システム１の概要について図１を参照して説明する。検索システム１は、携帯電話５０と、表示装置１００とを備える。表示装置１００に記憶されている表示情報を、利用者は携帯電話５０を利用して検索することができる。表示装置１００は、検索対象である表示情報として、複数ページの画像群から構成されるコンテンツを複数記憶している。利用者は携帯電話５０を利用して、表示装置１００に記憶されている特定のコンテンツ、若しくは、特定のコンテンツの特定のページを表示情報として検索することができる。コンテンツの電子データであるコンテンツデータのデータ構造は独自形式のデータ構造である。コンテンツデータは、Ｗｏｒｄ（登録商標）、Ｅｘｃｅｌ（登録商標）、ＰＤＦ（登録商標）等のその他の形式の電子データを、ＰＣの変換用のアプリケーションプログラムにて上述の独自形式に変換され、後述のメモリカード１２０に記録されたものである。
【００３４】
利用者が所望の表示情報を検索する場合、利用者は、表示情報を検索するための検索条件を携帯電話５０に入力する。検索条件を入力された携帯電話５０は、入力された検索条件を表示装置１００へ送信する。表示装置１００は受信した検索条件に基づいて検索を行う。次に、検索の結果抽出した表示情報のリストを携帯電話５０、または、表示装置１００に表示させる。第一実施形態では検索結果のリストを表示装置１００が表示する。第二実施形態では検索結果のリストを携帯電話５０が表示する。それぞれのリストの中から所望の表示情報を利用者が選択すると、表示装置１００が選択された表示情報を表示する。これにより、利用者は所望の表示情報を表示装置１００で閲覧することができる。以下、第一実施形態及び第二実施形態の表示情報検索システム１について、説明する。
【００３５】
＜第一実施形態の説明＞
第一実施形態について説明する。先ず、第一実施形態の表示情報検索システム１の動作の一例について図２を参照して説明する。図２は、携帯電話５０と、表示装置１００との状態の遷移を表す状態遷移図である。利用者が携帯電話５０にインストールされている検索用アプリケーションプログラムを起動すると、携帯電話５０はメニュー選択画面を表示する。メニュー選択画面においては、一例として、“（１）コンテンツ検索”、“（２）ページ検索”等の複数のメニュー項目が表示される。
【００３６】
利用者が“（１）コンテンツ検索”のメニュー項目の選択を決定すると、携帯電話５０は検索ワードを入力するための検索ワード入力画面を表示する。
【００３７】
検索ワード入力画面において、利用者が検索ワードを入力して検索を実行する指示を入力すると、携帯電話５０は利用者に入力された検索ワードを表示装置１００に送信する。
【００３８】
携帯電話５０から検索ワードを受信した表示装置１００は、検索中画面を表示して検索を開始する。表示装置１００は、検索ワードに基づいてコンテンツを検索するための検索インデックスファイルを予め記憶している。表示装置１００は、検索インデックスファイルを用いて検索ワードに合致するコンテンツを検索する。検索インデックスファイルの作成若しくは更新は、例えば、ＰＣの変換アプリケーションプログラムによるデータ形式の変換時に行われれば良い。この場合、検索インデックスファイルに登録される検索ワードは、データ変換時に変換前の電子データから出現頻度の高いワードが自動抽出され、それが検索ワードとして登録される形態が考えられる。若しくは、利用者が特定のコンテンツに対応する検索ワードを登録したい場合に、利用者がコンテンツを指定し検索ワードを入力した場合に、指定されたコンテンツに入力された検索ワードが登録される形態であってもよい。検索インデックスファイルの作成及び更新がどのような形態で実現されるかに関しては、本願発明の要旨に直接かかわるものではないので、ここでは単に予め表示装置１００が記憶しているものとして説明する。
【００３９】
検索が終了すると、表示装置１００は、検索結果を表示するための検索結果表示画面を表示する。検索結果表示画面には入力された検索ワードに合致したコンテンツのタイトルのリストが表示される。
【００４０】
表示されたリストの中から、利用者が所望のコンテンツの選択を決定すると、表示装置１００は、選択されたコンテンツの１ページ目の画像を表示する。これにより利用者は表示装置１００において所望のコンテンツを閲覧することができる。次に、このような表示情報検索システム１の各構成を説明する。
【００４１】
＜携帯電話５０の説明＞
携帯電話５０は、オペレーションシステム（ＯＳ）を搭載しており、利用者が好みのアプリケーションプログラムをインストールすることが可能なスマートフォンである。携帯電話５０は、携帯電話網に接続して通信を行う携帯電話網との通信機能のほかに、外部の装置と通信を行う外部装置との通信機能を有する。携帯電話５０は、この外部装置との通信機能を利用して表示装置１００と通信を行う。
【００４２】
図３は、携帯電話５０の外観を示す外観図である。図３に示すように携帯電話５０は、利用者が所定の入力操作を行うための操作部５４と、動画像や静止画像や文字等を表示するための表示部５５と、着信音や受話音声の音響出力行うスピーカ部５６と、利用者の発話音声を集音するためのマイクロフォン部５７とを備える。
【００４３】
図４を参照して携帯電話５０のハードウェア構成について説明する。携帯電話５０は、ＣＰＵ５１、ＲＡＭ５２、ＲＯＭ５３、操作部５４、表示部５５、スピーカ部５６、マイクロフォン部５７、バイブレーション部５８、電話通信部５９、外部装置通信部６０、内蔵メモリ部６１を備える。ＲＡＭ５２、ＲＯＭ５３、操作部５４、表示部５５、スピーカ部５６、マイクロフォン部５７、バイブレーション部５８、電話通信部５９、外部装置通信部６０、内蔵メモリ部６１はそれぞれ、バス６２を介してＣＰＵ５１と接続されている。
【００４４】
ＣＰＵ５１はＯＳやアプリケーションプログラムに基づいて後述の検索アプリ処理等を実行し、携帯電話５０の周辺機器を制御する。ＲＡＭ５２は、ＣＰＵ５１が後述の各処理を実行する際に必要なデータを一時的に記憶する揮発性の記憶装置である。ＲＯＭ５３は、ＯＳ等を記憶した不揮発性の記憶装置である。操作部５４は、十字キー、決定キー、キャンセルキー、文字入力キーなどの複数のキーを備え、利用者の入力操作を検知してＣＰＵ５１にどのような操作がおこなわれたかを通知する。表示部５５は、ＣＰＵ５１からの指示に従って、所定の画像を表示する。スピーカ部５６は、着信音や通話相手の発話音声を出力する。マイクロフォン部５７は、利用者の発話音声等を集音する。バイブレーション部５８はＣＰＵ５１の指示に従って、携帯電話５０の筐体を振動させて発着信などを利用者に知らせる。電話通信部５９は、ＣＰＵ５１からの指示に従って、携帯電話網の基地局との間で無線通信を行う。外部装置通信部６０は、ＣＰＵ５１からの指示に従って、表示装置１００などの外部装置との間で通信を行う。この外部装置通信部６０は、具体的には、Ｂｌｕｔｏｏｔｈ（登録商標）に代表されるような近距離無線通信を行うものであってもよいし、ＵＳＢインターフェースのように有線で通信を行うためのものであっても良い。尚、以下の説明において外部装置通信部６０はＢｌｕｔｏｏｔｈによる通信を行うものとして説明する。内臓メモリ部６１はアプリケーションプログラム等を記憶する不揮発性の記憶装置である。
【００４５】
＜表示装置１００の説明＞
次に、表示装置１００について説明する。図５に示すように、表示装置１００は不揮発性表示パネル１０６と、操作部１５０とを備える。
【００４６】
不揮発性表示パネル１０６には、表示装置１００で表示可能な上述のコンテンツや、表示するコンテンツを選択するための選択画面や、表示装置１００で実行可能なメニュー項目を選択するためのメニュー画面等の各種画像が表示される。
【００４７】
不揮発性表示パネル１０６としては、電気泳動型の表示素子やコレステリック液晶等を備えた表示パネルを用いることができる。以下の説明において、本実施形態における不揮発性表示パネル１０６は、電気泳動型の表示素子を備えた表示パネルであるものとして説明する。
【００４８】
不揮発性表示パネル１０６の画像は、後述の表示コントローラ１０５（図６参照）により書きかえられる。不揮発性表示パネル１０６に表示された画像は、不揮発性表示パネル１０６または表示コントローラ１０５への電力の供給が断たれても、表示されたまま維持される。このような表示装置１００は画像の表示の維持のために電力を必要としないため、画像の書きかえ後は、不揮発性表示パネル１０６や表示コントローラ１０５への電力の供給を停止することにより電力消費を抑えることができる。したがって、画像の表示の維持に電力が消費される従来のＬＣＤ（Ｌｉｑｕｉｄ Ｃｒｙｓｔａｌ Ｄｉｓｐｌａｙ）パネルや、ＰＤＰ（Ｐｌａｓｍａ Ｄｉｓｐｌａｙ Ｐａｎｅｌ）などの自発光型の表示パネルを備えた表示装置に比べ、消費電力が少ないという特徴がある。
【００４９】
操作部１５０は、利用者が電源のオン、または、電源のオフを指示する際に押下する源キー１５１と、表示装置１００の電源オン中に利用者が所定の指示を入力するための複数の操作キー１５８とを有する。表示装置１００は、操作キー１５８として、メニューキー１５２と、閉じるキー１５３と、前キー１５５と、次キー１５６と、１３個の選択キー１５７とを備える。
【００５０】
次に、表示装置１００のハードウェアの構成について図６を参照して説明する。図６は表示装置１００のハードウェアの構成を示したブロック図である。表示装置１００は、ＣＰＵ１０１と、ＲＡＭ１０２と、ＲＯＭ１０３と、表示コントローラ１０５と、不揮発性表示パネル１０６と、メモリカードインターフェース１０９と、メモリカード１２０と、通信部１３０と、操作部１５０とを備える。ＣＰＵ１０１と、ＲＡＭ１０２と、ＲＯＭ１０３と、表示コントローラ１０５と、メモリカードインターフェース１０９と、通信部１３０と、操作部１５０とはそれぞれバス１１０を介して接続されている。
【００５１】
ＣＰＵ１０１は、ＲＯＭ１０３に記憶されたファームウェアに従って、表示装置１００の各周辺機器を制御する。尚、本実施形態においては、表示装置１００の周辺機器は、ＲＯＭ１０３に記憶されたファームウェアによって制御されるものとして説明するが、ＯＳとアプリケーションプログラムとによって制御されるようにしてもよい。
【００５２】
ＲＡＭ１０２は、ＣＰＵ１０１が各処理を実行する際に必要なデータを一時的に記憶する揮発性の記憶装置である。
【００５３】
ＲＯＭ１０３は、後述の表示装置処理を実行するためのファームウェアを記憶している不揮発性の記憶装置である。
【００５４】
メモリカードインターフェース１０９は、ＣＰＵ１０１からの指示に従って、表示装置１００に装着されたメモリカード１２０からデータの読み出し、および、メモリカード１２０へのデータの書き込みを行う。
【００５５】
メモリカード１２０は、表示装置１００で表示可能なコンテンツのコンテンツデータを記憶する。コンテンツデータは、一つのコンテンツに対して、１ページ分の画像データを複数備えている。メモリカード１２０は、表示装置１００に着脱可能に備えられている。尚、本実施形態においては検索対象であるコンテンツデータを記憶する記憶部としてメモリカード１２０を例に挙げて説明するが、本発明はこれに限られるものではない。表示装置１００がフラッシュメモリー等の内臓メモリを備えていれば、そこにコンテンツデータが記憶されていても良い。
【００５６】
本実施形態における不揮発性表示パネル１０６は、周知のアクティブマトリクス方式の電気泳動型の表示パネルである。不揮発性表示パネル１０６は、表示面側の透明基板と、透明基板に対向する位置に設けられた背面基板とを有する。透明基板と背面基板との間に電気泳動型の表示素子が設けられている。不揮発性表示パネル１０６は、不揮発性表示パネル１０６の各ゲートラインへゲート信号を出力するためのゲートドライバ（図示外）と、不揮発性表示パネル１０６の各ソースラインへソース信号を出力するためのソースドライバ（図示外）とを備える。
【００５７】
表示コントローラ１０５は、ゲートドライバによるゲート信号の出力とソースドライバによるソース信号の出力とを制御して画像の書きかえ動作を実行する。表示コントローラ１０５は、ＣＰＵ１０１から受信する画像の書きかえ指示に従って、書きかえる画像に応じたゲート信号とソース信号とを出力する指示をゲートドライバ及びソースドライバに出力する。これにより不揮発性表示パネル１０６の各画素電極には電気泳動型の表示素子を制御する駆動電圧が印加され、不揮発性表示パネル１０６に表示された画像は書きかえられる。
【００５８】
通信部１３０は、ＣＰＵ１０１からの指示に従って、表示装置１００などの外部装置との間で通信を行う。具体的には、Ｂｌｕｔｏｏｔｈ（登録商標）に代表されるような近距離無線通信を行うものであってもよいし、ＵＳＢインターフェースのように有線で通信を行うためのものであっても良い。尚、以下の説明において通信部１３０はＢｌｕｔｏｏｔｈによる通信を行うものとして説明する。
【００５９】
操作部１５０は、上述したように電源キー１５１と、複数の操作キー１５８とを備える。操作部１５０は押下された操作キー１５８に応じた信号をＣＰＵ１０１に出力する。これによりＣＰＵ１０１は、利用者によりいずれのキーが操作されたかを判断することができる。
【００６０】
図７を参照して、表示装置１００のメモリカード１２０に設けられる記憶領域の構成を説明する。メモリカード１２０には、検索インデックス記憶領域１２１と、コンテンツデータ記憶領域１２３とを備える。
【００６１】
検索インデックス記憶領域１２１は、検索インデックスファイルを記憶する領域である。検索インデックスファイルの詳細は後述する。
【００６２】
コンテンツデータ記憶領域１２３は、表示装置１００で表示するコンテンツのデータであるコンテンツデータを記憶する領域である。
【００６３】
検索インデックス記憶領域１２１に記憶される検索インデックスファイルは、検索ワードに基づいてコンテンツまたはコンテンツのページの候補を抽出するために用いる情報である。検索インデックスファイルは予め検索インデックス記憶領域１２１に記憶されている。検索インデックス記憶領域１２１には、複数の検索インデックスファイルが記憶されている。記憶されている検索インデックスファイルには、コンテンツを検索する際に用いられる検索インデックスファイルと、コンテンツの特定のページを検索する際に用いられる検索インデックスファイルとがある。ページを検索するために用いられる検索インデックスファイルは、コンテンツ毎に複数の検索インデックスファイルが記憶されている。
【００６４】
ここで、図８（Ａ）、（Ｂ）を参照し、検索インデックスファイルのデータ構造について説明する。検索インデックスファイルは、インデックスＩＤとインデックス情報とを備える。インデックスＩＤは検索インデックスファイルを識別するための情報である。インデックスＩＤは４桁の数字からなる情報である。コンテンツを検索するために用いられる検索インデックスファイルのインデックスＩＤには、「００００」を用いる。ページを検索するために用いられる検索インデックスファイルのインデックスＩＤには「０００１」〜「９９９９」までの、９９９９個の数字を用いる。尚、「０００１」〜「９９９９」までのインデックスＩＤは、その検索インデックスファイルが対応するコンテンツのコンテンツＩＤと一致する。従って、インデックスＩＤを参照すれば、その検索インデックスファイルがどのコンテンツのページを検索するためのものであるかを判断できる。
【００６５】
インデックス情報は、検索ワードに対応するコンテンツ、もしくは、検索ワードに対応するページ番号を示す情報である。図８（Ａ）に示すように、インデックスＩＤが「００００」の検索インデックスファイルには、各検索ワードに対してそれぞれの検索ワードに関係するコンテンツのコンテンツＩＤが対応付けられている。また、インデックスＩＤが「０００１」〜「９９９９」までの検索インデックスファイルには、各検索ワードに対してその検索ワードに関係するページ番号が対応付けられている。
【００６６】
図９は、コンテンツデータ記憶領域１２３に記憶されるコンテンツデータのデータ構成を示す模式図である。図９に示すようにコンテンツデータ記憶領域１２３に記憶されるコンテンツデータは、コンテンツＩＤと、コンテンツのタイトルや、データの作成日時等の属性情報と、複数ページの画像データ等から構成される。
【００６７】
表示装置１００のプログラム実行中にＲＡＭ１０２に設けられる記憶領域について図１０を用いて説明する。図１０は、ＲＡＭ１０２に設けられる記憶領域を示した概念図である。ＲＡＭ１０２には、表示画像情報記憶領域２０４が設けられる。
【００６８】
表示画像情報記憶領域２０４には、後述の表示装置処理にて表示画像情報が記憶される。表示画像情報は、表示中の画像がどのような画像であるかを示す情報である。
【００６９】
ここで、表示装置１００の画像の書きかえ動作の一例を説明する。表示装置１００は、利用者に押下された操作キー１５８の種類と表示中の画像とに応じて、表示中の画像を書きかえる。
【００７０】
表示装置１００に表示される画面の種類としては、メニュー項目の一覧を表示したメニュー表示画面、表示するコンテンツを選択するためのコンテンツ選択画面、コンテンツの各ページを１ページずつ表示するコンテンツ表示画面等がある。
【００７１】
メニュー表示画面では、表示装置１００で実行可能なメニュー項目の一覧であるメニュー一覧が表示される。メニュー表示画面では、選択キー１５７の一つに対応する位置に一つのメニュー項目が表示される。利用者は選択したいメニュー項目に対応する位置の選択キー１５７を押下することにより、所望のメニュー項目の選択を決定することができる。メニュー表示画面では、「コンテンツ選択」、「設定変更」等の様々なメニュー項目が表示される。利用者が「コンテンツ選択」に対応する選択キー１５７を押下した場合には、コンテンツ選択画面が表示される。
【００７２】
コンテンツ選択画面では、選択キー１５７のそれぞれに対応する位置にコンテンツのタイトルが一つずつ表示される。選択キー１５７が押下された場合はコンテンツ表示画面に切り替わり、押下された選択キー１５７に対応する位置に表示されていたタイトルのコンテンツを表示する。コンテンツ選択画像を表示中に閉じるキー１５３が押下された場合は、メニュー表示画面が再度表示される。また、メニューキー１５２が押下された場合も、メニュー表示画面に書きかえられる。
【００７３】
コンテンツ表示画面では、利用者に選択されたコンテンツの各ページの画像が１ページ毎に表示される。コンテンツ表示画面では、次キー１５６が押下された場合、表示中のページが次のページに書きかえられる。また、前キー１５５が押下された場合、表示中のページが前のページに書きかえられる。閉じるキー１５３が押下された場合は、コンテンツ選択画面に書きかえられる。また、メニューキー１５２が押下された場合はメニュー表示画面に書きかえられる。
【００７４】
このように、表示装置１００は表示中の画像と押下された操作キー１５８に応じて表示する画像を切り替える。表示画像記憶領域２０４に記憶されている表示画像情報と、利用者に押下されたキーの識別とにもとづいて、ＣＰＵ１０１は、表示装置処理のプログラムのアルゴリズムに従って、次の画像に書きかえる指示を表示コントローラ１０５に対して実行する。尚、表示装置１００は画像を書きかえられる度に、表示画像情報を表示中の画像のものに更新する。
【００７５】
表示画像情報は、表示中の画面の種類を特定するための画面種類情報と、その画面の種類に応じて表示中の画像を特定するための各種の情報とから構成される。例えば、コンテンツ表示画面の表示中は、画面種類情報の他に、表示中のコンテンツを特定するコンテンツＩＤと、表示中のページを特定するページ番号とが表示画像情報記憶領域２０４に記憶される。また、メニュー画面表示中の場合は、画面種類情報の他に、何ページ目のメニュー一覧を表示中であるかを示す情報が表示画像情報記憶領域２０４に記憶される。
【００７６】
＜携帯電話５０の動作についての説明＞
次に携帯電話５０の動作について、図１１に示すフローチャートを参照して説明する。利用者が検索アプリケーションプログラムを起動する操作を行うと、ＣＰＵ５１は検索アプリケーションプログラムとＯＳとに従って検索アプリ処理を開始する。
【００７７】
検索アプリ処理を開始すると、ＣＰＵ５１は表示部５５にメニュー画面（図２参照）を表示させる（Ｓ５０）。メニュー画面には、“（１）コンテンツ検索”、“（２）ページ検索”等の複数のメニュー項目が表示される。
【００７８】
メニュー画面を表示させた後、ＣＰＵ５１は、利用者がメニュー項目の選択を決定する操作を受け付ける（Ｓ５１）。このとき利用者は操作部５４の十字キーを操作することにより、表示されたメニュー項目の中から所望のメニュー項目を選択する。利用者がメニュー項目の選択を行っている最中は、利用者が選択中のメニュー項目を識別できるように、ＣＰＵ５１は十字キーの操作に応じて選択中のメニュー項目と他のメニュー項目との表示態様が異なるように表示部５５に表示させる。操作部５４の決定キーの押下が行われた場合に、ＣＰＵ５１は選択中のメニュー項目を、選択が決定されたメニュー項目として受け付ける。
【００７９】
このようにメニュー項目の選択の決定を受け付けた後、受け付けたメニュー項目が“（１）コンテンツ検索”であるか否かを判断する（Ｓ５４）。受け付けたメニュー項目が“（１）コンテンツ検索”である場合は（Ｓ５４：ＹＥＳ）、後述のコンテンツ検索ワード入力処理を行う（Ｓ５５）。
【００８０】
受け付けたメニュー項目が“（１）コンテンツ検索”でない場合は（Ｓ５４：ＮＯ）、上述のＳ５１で受け付けたその他のメニュー項目に応じた処理を行う（Ｓ５８）。例えば、Ｓ５１で受け付けたメニュー項目が“（２）ページ検索”である場合は、ページ検索のための検索ワード等の入力を受け付ける処理などを行い、受け付けた検索ワードと共にページ検索指示を表示装置１００へ送信する。ページ検索指示を受信した表示装置１００は、ページ検索指示と共に受信した検索ワードに基づいて利用者が所望するページの検索を行う。
【００８１】
これらの処理を行った後、ＣＰＵ５１は、利用者により検索アプリを終了する操作が行われたか否かを判断する（Ｓ５９）。利用者により検索アプリを終了する操作が行われていない場合は、Ｓ５０へ移行する。利用者により検索アプリを終了する操作が行われている場合は（Ｓ５９：ＹＥＳ）、ＣＰＵ５１は検索アプリ処理を終了する。
【００８２】
次に、図１２を参照してコンテンツ検索ワード入力処理について説明する。コンテンツ検索ワード入力処理は、上述の検索アプリ処理のＳ５４において、“（１）コンテンツ検索”のメニュー項目が選択されたと判断した場合（Ｓ５４：ＹＥＳ）に開始される（図１１参照）。
【００８３】
コンテンツ検索ワード入力処理を開始すると、ＣＰＵ５１は、コンテンツ検索画面（図２参照）を表示部５５に表示させる（Ｓ７０）。コンテンツ検索画面では、検索ワードを入力するための入力ボックスが表示される。
【００８４】
次に、利用者による検索ワードの入力を受け付ける（Ｓ７１）。ここでは、利用者は操作部５４の文字入力キーを操作することにより検索ワードの入力を行う。ＣＰＵ５１は、操作部５４の文字入力キーの操作に応じて入力ボックスに表示している文字列を順次更新する。ＣＰＵ５１は、操作部５４の決定キーが操作された場合に、入力ボックスに入力されている文字列を検索ワードとして受け付ける。
【００８５】
検索ワードを受け付けた後、ＣＰＵ５１は、表示装置１００とＢｌｕｅｔｏｏｔｈ接続をしているか否かを判断する（Ｓ７２）。
【００８６】
Ｂｌｕｔｏｏｔｈ接続をしていないと判断した場合は（Ｓ７２：ＮＯ）、外部装置通信部６０を介して表示装置１００にＢｌｕｔｏｏｔｈ接続の接続要求を送信し、Ｂｌｔｏｏｔｈ接続を開始させ（Ｓ７３）、Ｓ７４へ移行する。
【００８７】
Ｂｌｕｅｔｏｏｔｈ接続をしていると判断した場合は（Ｓ７２：ＹＥＳ）、そのままＳ７４へ移行する。
【００８８】
Ｓ７４では、コンテンツ検索指示と、Ｓ７１で受け付けた検索ワードとを表示装置１００に送信する（Ｓ７４）。コンテンツ検索指示は、表示装置１００にコンテンツの検索を実行させるための指示である。コンテンツ検索指示を受信することで表示装置１００は、受信した検索ワードに基づいて、コンテンツの検索を行う。
【００８９】
コンテンツ検索指示と検索ワードとを送信した後、ＣＰＵ５１は、表示部５５にコンテンツ検索画面を再度表示させる（Ｓ７５）。
【００９０】
表示部５５にコンテンツ検索画面を表示した後、ＣＰＵ５１は、利用者が操作部５４を操作したか否かを判断する（Ｓ７６）。
【００９１】
利用者が操作部５４を操作したと判断した場合は（Ｓ７６：ＹＥＳ）、Ｓ７１へ戻り再び検索ワードの入力を受け付ける。
【００９２】
利用者が操作部５４を操作していないと判断した場合は（Ｓ７６：ＮＯ）、表示装置１００から携帯電話５０が操作中でないかどうかの問い合わせを受信したか否かを判断する（Ｓ７７）。
【００９３】
携帯電話５０が操作中でないかどうかの問い合わせを受信していないと判断した場合は（Ｓ７７：ＮＯ）、Ｓ７７へ戻り、利用者からの操作がされるか表示装置１００から携帯電話５０が操作中でないかどうかの問い合わせを受信するまで待機する。
【００９４】
携帯電話５０が操作中でないかどうかの問い合わせを受信した場合は（Ｓ７７：ＹＥＳ）、ＣＰＵ５１は、表示装置１００に対して携帯電話５０が操作中でない旨の情報を送信する（Ｓ７８）。
【００９５】
携帯電話５０が操作中でない旨の情報を送信した後、ＣＰＵ５１は、外部装置通信部６０にＢｌｕｅｔｏｏｔｈ接続を切断させて（Ｓ７９）、コンテンツ検索ワード入力処理を終了する。
【００９６】
＜表示装置１００の動作についての説明＞
次に、表示装置１００の詳細な動作について、フローチャートを用いて説明する。電源キー１５１が押下されると、表示装置１００の電源からＣＰＵ１０１に電力の供給が開始され、ＣＰＵ１０１は図１３に示す表示装置処理を開始する。
【００９７】
表示装置処理を開始するとＣＰＵ１０１は、起動処理を実行する（Ｓ１０１）。起動処理では、ＣＰＵ１０１は各周辺機器を起動し、周辺機器の動作チェックを行う。そして、不揮発性表示パネル１０６にメニュー画面を表示させる。そして表示画像記憶領域２０４に表示画像情報を記憶させる。このとき、記憶される表示画像情報としては、画面の種類がメニュー画面であることを特定する表示画面情報が記憶される。
【００９８】
起動処理を行った後、ＣＰＵ１０１は、利用者が、操作キー１５８を操作したか否かを判断する（Ｓ１０２）。利用者が操作キー１５８を操作したと判断した場合は（Ｓ１０２：ＹＥＳ）、ＣＰＵ１０１は、利用者に操作された操作キー１５８に応じた画像に書き換える指示を表示コントローラ１０５に対して行う（Ｓ１０３）。ここでは、ＲＡＭ１０２の表示画像情報記憶領域２０４に記憶されている表示画像情報と、利用者に押下された操作キーの種別とに対応する画像に書きかえる。書きかえる画像のデータはあらかじめＲＯＭ１０３に記憶されている画像のデータを用いる。もしくは、コンテンツの表示中は、メモリカードＩ／Ｆ１０９を介してメモリカード１２０から取得したコンテンツの画像データを用いる。
【００９９】
表示コントローラ１０５に画像の書きかえの指示を行った後、ＣＰＵ１０１は、現在表示中の画像、即ち、書きかえた後の画像に対応する表示画像情報を表示画像情報記憶領域２０４に記憶し（Ｓ１０４）、Ｓ１１２へ移行する。
【０１００】
利用者が操作キーを操作していないと判断した場合は（Ｓ１０２：ＮＯ）、ＣＰＵ１０１は、表示装置１００からＢｌｕｅｔｏｏｔｈ接続の接続要求を受信したか否かを判断する（Ｓ１０５）。Ｂｌｕｅｔｏｏｔｈ接続の接続要求を受信していないと判断した場合（Ｓ１０５：ＮＯ）、Ｓ１０２に移行する。
【０１０１】
Ｂｌｕｅｔｏｏｔｈ接続の接続要求を受信したと判断した場合（Ｓ１０５：ＹＥＳ）、ＣＰＵ１０１は、表示装置１００とＢｌｕｅｔｏｏｔｈ接続を行う（Ｓ１０６）。
【０１０２】
Ｂｌｕｅｔｏｏｔｈ接続を行ったあと、ＣＰＵ１０１は、携帯電話５０からコンテンツ検索指示を受信したか否かを判断する（Ｓ１０９）。
【０１０３】
コンテンツ検索指示を受信したと判断した場合は（Ｓ１０９：ＹＥＳ）、ＣＰＵ１０１は、後述のコンテンツ検索処理を行い（Ｓ１１０）、Ｓ１１２へ移行する。
【０１０４】
表示指示情報を受信していないと判断した場合は（Ｓ１０９：ＮＯ）、ＣＰＵ１０１はその他の処理を行い（Ｓ１１１）、Ｓ１１２へ移行する。Ｓ１１１では、例えば、表示装置１００からページ検索指示を受信した場合、ページ検索指示と共に受信した検索ワードに基づいてページの検索等を行う。
【０１０５】
Ｓ１１２では、ＣＰＵ１０１は、利用者により電源キー１５１が押下されたか否かを判断する（Ｓ１１２）。電源キー１５１が押下されていないと判断した場合は（Ｓ１１２：ＮＯ）、Ｓ１０２へ移行する。電源キー１５１が押下されたと判断した場合は（Ｓ１１２：ＹＥＳ）、停止処理を実行する（Ｓ１１３）。停止処理では、表示中の画像を消去して白紙の状態にする指示を表示コントローラ１０５に対して行う。そして、周辺機器を停止させ、電力制御部１０７に対してＣＰＵ１０１及び周辺機器への電力供給を停止させる指示を出力し、表示装置処理を終了する。
【０１０６】
次に、図１４を参照し、コンテンツ検索処理について説明する。表示装置処理のＳ１０９において、コンテンツ検索指示を受信したと判断した場合（Ｓ１０９：ＹＥＳ）、ＣＰＵ１０１はコンテンツ検索処理を開始する。
【０１０７】
コンテンツ検索処理を開始すると、ＣＰＵ１０１は、コンテンツ検索指示とともに受信した検索ワードに基づいて、検索処理を行う（Ｓ１２０）。検索処理の詳細は後述するが、検索処理では、受け付けた検索ワードに合致するコンテンツの件数の算出と、検索ワードに合致するコンテンツのタイトルのリストを作成する。以下の説明においてこのコンテンツのタイトルのリストをタイトルリストと称す。
【０１０８】
検索処理を行ったあと、ＣＰＵ１０１は検索結果が存在するか否かを判断する（Ｓ１２２１）。Ｓ１２０で算出した件数が０件の場合は（Ｓ１２１：ＮＯ）、検索ワードに合致するコンテンツがなかったことを示すメッセージを不揮発性表示パネル１０６に表示する（Ｓ１２２）。
【０１０９】
コンテンツがなかったことを示すメッセージを不揮発性表示パネル１０６に表示した後、表示画像情報記憶領域２０４の表示画像情報を更新し（Ｓ１２３）、Ｓ１２９へ移行する。
【０１１０】
Ｓ１２０で算出した件数が１件以上の場合は（Ｓ１２１：ＹＥＳ）、ＣＰＵ１０１は、Ｓ１２０で算出した件数が１件であるか否かを判断する（Ｓ１２４）。
【０１１１】
Ｓ１２０で算出した件数が１件である場合は（Ｓ１２４：ＹＥＳ）、Ｓ１２０で抽出したコンテンツの１ページ目の画像を、不揮発性表示部１０６に表示させる対象ページとして表示し（Ｓ１２７）、表示画像情報記憶領域２０４の表示画像情報を更新し（Ｓ１２８）、Ｓ１２９へ移行する。尚、本実施形態においては、検索結果が一つしかない場合に、直ちに不揮発性表示パネル１０６にそのコンテンツを表示させるものとして説明するが、本発明はこれに限られない。例えば、検索結果が一つしかなくても一度、不揮発性表示パネル１０６にタイトルリストを表示させ、利用者に選択させるようにしてもよい。
【０１１２】
Ｓ１２０で算出した件数が２件以上の場合は（Ｓ１２４：ＮＯ）、Ｓ１２０で作成したタイトルリストを不揮発表示パネル１０６に表示させる（Ｓ１２５）。コンテンツのタイトルの一覧とともにＳ１２０で算出した件数も表示させる。
【０１１３】
コンテンツのタイトルリストを表示させた後、タイトルリストの中から利用者が所望のコンテンツを選択するのを受け付ける（Ｓ１２６）。ここでは、選択キー１５７の一つに対応する位置に一つのタイトルが表示される。利用者は選択したいコンテンツのタイトルに対応する位置の選択キー１５７を押下することにより、所望のコンテンツの選択を決定することができる。
【０１１４】
コンテンツの選択の決定を受け付けた後、ＣＰＵ１０１は、利用者により選択されたコンテンツの1ページ目の画像を、不揮発性表示部１０６に表示させる対象ページとして表示し（Ｓ１２７）、表示画像情報記憶領域２０４の表示画像情報を更新し（Ｓ１２８）、Ｓ１２９へ移行する。
【０１１５】
Ｓ１２９では、操作キー１５８が利用者により操作されるか否かを判断する（Ｓ１２９）。尚、操作キー１５８が利用者により操作されている場合は、利用者が所望のコンテンツを閲覧し、表示装置１００に画像の書き換えの指示を行っている、若しくは、利用者が所望のコンテンツの閲覧をあきらめて別の画像へ書き換えるための指示を行っているとみなして、後述のようにコンテンツ検索処理を終了するための動作が行われることになる。
【０１１６】
操作キー１５８が操作されと判断した場合は（Ｓ１２９：ＹＥＳ）、ＣＰＵ１０１は、携帯電話５０に対して、携帯電話５０が操作中でないかどうかの問い合わせを送信する（Ｓ１３２）。
【０１１７】
携帯電話５０が操作中でないかどうかの問い合わせを送信した後、ＣＰＵ１０１は、携帯電話５０が操作中でない旨の情報を携帯電話５０から受信したか否かを判断する（Ｓ１３３）。
【０１１８】
携帯電話５０が操作中でない旨の情報を受信した場合は（Ｓ１３３：ＹＥＳ）、ＣＰＵ１０１はＢｌｕｅｔｏｏｔｈ接続の切断を行い（Ｓ１３４）、コンテンツ検索処理を終了する。携帯電話５０が操作中でない旨の情報を受信していない場合は（Ｓ１３３：ＮＯ）、Ｓ１２９へ戻る。
【０１１９】
尚、Ｓ１２９で操作キー１５８が操作されたと判断された場合は、コンテンツ検索処理を終了後、表示装置処理のＳ１０３において、押下された操作キー１５８に応じて画像の書きかえが行われることになる（図１３参照）。具体的には、Ｓ１２７においてコンテンツの1ページ目の画像を表示後、操作キー１５８が押下された場合は、選択されたコンテンツの1ページ目と、押下された操作キー１５８のキーの種類に応じた画像に書きかえられ得る。例えば、次キー１５５が押下された場合は、コンテンツの２ページ目の画像に書きかえられることになる。また、Ｓ１２２において、検索ワードに合致するコンテンツがなかったことを示すメッセージを表示後、操作キー１５８が押下された場合は、押下された操作キー１５８の種類にかかわらず、メニュー画面に書きかえられる。
【０１２０】
Ｓ１２９において、操作キー１５８が操作されていないと判断した場合は（Ｓ１２９：ＮＯ）、ＣＰＵ１０１は、携帯電話５０より再びコンテンツ検索指示を受信するか否かを判断する（Ｓ１３０）。上述のコンテンツ検索ワード入力処理（図１２参照）のＳ７６において、操作有りと判断され（Ｓ７６：ＹＥＳ）、携帯電話５０において再び利用者が検索ワードを入力し（Ｓ７１）、携帯電話５０から表示装置１００にコンテンツ検索指示が再び送信（Ｓ７４）された場合、Ｓ１３０でコンテンツ検索指示が受信されたと判断される。
【０１２１】
コンテンツ検索指示を受信したと判断した場合（Ｓ１３０：ＹＥＳ）、上述のＳ１２０へ戻り再び検索処理を行う。
【０１２２】
コンテンツ検索指示を受信していないと判断した場合（Ｓ１３０：ＮＯ）、ＣＰＵ１０１は、タイマーのカウントをスタートし、所定時間（例えば３０秒）が経過するか否かを判断する（Ｓ１３１）。
【０１２３】
所定時間が経過していない場合は（Ｓ１３１：ＮＯ）、Ｓ１２９へ戻る。操作キー１５８の操作が行われず、コンテンツ検索指示も受信しないまま、所定時間が経過した場合は（Ｓ１３１：ＹＥＳ）、ＣＰＵ１０１は、携帯電話５０が操作中でないかどうかの問い合わせを携帯電話５０へ送信し（Ｓ１３２）、携帯電話５０が操作中でない旨の情報を受信した（Ｓ１３３：ＹＥＳ）後、Ｂｌｕｅｔｏｏｔｈ接続の切断を行い（Ｓ１３４）、コンテンツ検索処理を終了する。
【０１２４】
次に、図１５を参照して検索処理について説明する。検索処理は上述のコンテンツ検索処理を開始後に行われる（図１４参照）。検索処理を開始するとＣＰＵ１０１は、検索中画面（図２参照）を表示させる指示を表示コントローラ１０５に出力する（Ｓ９０）。検索中画面は、検索処理の実行中である旨を利用者に報知するための画面である。
【０１２５】
検索中画面を表示させた後、ＣＰＵ１０１は、利用者に入力された検索ワードに合致するコンテンツを検索する（Ｓ９１）。具体的には、利用者に入力された検索ワードに合致するコンテンツのコンテンツＩＤを検索インデックス記憶領域１２１に記憶された検索インデックスファイルから抽出する。
【０１２６】
コンテンツ検索処理においては、インデックスＩＤが「００００」の検索インデックスファイルを用いて、コンテンツを抽出する。例えば図８（Ａ）に示す検索インデックスファイルを用いて「ＳＥＶ」という検索ワードに基づいて、抽出する場合は、コンテンツＩＤが「０６０６」、「０６０７」、及び、「０６０８」の３つのコンテンツＩＤを抽出することになる。
【０１２７】
コンテンツＩＤを抽出した後、ＣＰＵ１０１は、受信した検索ワードでヒットしたコンテンツの件数の算出し、ヒットしたコンテンツのタイトルリストを作成する（Ｓ９２）。タイトルリストの作成は、Ｓ９１で抽出したコンテンツＩＤに基づいて行われる。各コンテンツＩＤに対応するコンテンツのタイトルは、コンテンツデータ記憶領域１２３に記憶されているコンテンツデータから抽出する。例えば「０６０６」、「０６０７」、及び、「０６０８」の３つのコンテンツＩＤを抽出した場合は、各コンテンツＩＤに対応するコンテンツデータからそれぞれのタイトルを抽出し「ＳＥＶマニュアル」、「ＳＥＶ-ＰＣマニュアル」、及び、「ＳＥＶ機能仕様書」の３つのタイトルを備えたタイトルリストが作成される。また、ヒット件数として３件が算出される。尚、抽出されたコンテンツＩＤが一つもない場合は、ヒット件数として０件が算出され、タイトルリストとしてＮＵＬＬ値が設定される。
【０１２８】
尚、上述の説明では、検索対象の表示情報として、コンテンツの検索を行う場合について主に説明したが、利用者がコンテンツの特定のページを検索することも考えられる。この場合、表示装置１００は、コンテンツ毎に設けられるインデックスＩＤが「０００１」から「９９９９」の検索インデックスファイルを参照して、特定のコンテンツの特定のページの検索を行う。
【０１２９】
例えば図８（Ｂ）に示す、インデックスＩＤが「０６０６」の検索インデックスファイルを用いて「印刷」という検索ワードに基づいて、検索する場合は、ページ番号が５１のページとページ番号が５２のページとが抽出されることになる。尚、インデックスＩＤはコンテンツＩＤと一致するため、いずれのコンテンツのページであるかも識別することができる。また、他のインデックスＩＤの検索インデックスファイルにも、「印刷」という検索ワードが登録されている場合は、その検索インデックスファイルからもページの抽出を行う。
【０１３０】
そして、抽出したページ番号と、そのページの抽出に用いた検索インデックスファイルのインデックスＩＤから求められるコンテンツＩＤとに基づいて、抽出したページの識別情報のリストが作成される。たとえば、「印刷」の検索ワードが図８（Ｂ）に示す「０６０６」のインデックスＩＤの検索インデックスファイルにのみ登録されており、「印刷」という検索ワードで利用者が検索を行った場合、ページの識別情報のリストは次のようになる。「ＳＥＶマニュアル：５１ページ」、「ＳＥＶマニュアル：５２ページ」の２つのページの識別情報からなるリストが作成される。ページの識別情報とは、そのページを含むコンテンツのタイトルとそのページのページ番号との情報を含む。
【０１３１】
そして検索結果としては、上述のページの識別情報のリストが不揮発性表示パネル１０６に表示される。利用者は表示されたページの識別情報の中から所望のページの選択を決定することにより表示装置１００において、所望のページを閲覧することができる。
【０１３２】
なお、表示装置１００が主に、特許請求の範囲に記載の表示装置に相当する。携帯電話５０が主に、特許請求の範囲に記載の検索用装置に相当する。操作部５４が主に、特許請求の範囲に記載の第二操作部に相当する。表示部５５が主に、特許請求の範囲に記載の表示部に相当する。外部装置通信部６０が主に、特許請求の範囲に記載の第二通信部に相当する。図１２のＳ７１を行うＣＰＵ５１が主に、特許請求の範囲に記載の検索条件取得部に相当する。図１２のＳ７４を行うＣＰＵ５１が主に、特許請求の範囲に記載の検索条件送信部に相当する。表示コントローラ１０５及び不揮発性表示パネル１０６が主に、特許請求の範囲に記載の不揮発性表示部に相当する。通信部１３０が主に、特許請求の範囲に記載の第一通信部に相当する。メモリカードＩ／Ｆ１０９及びメモリカード１２０が主に、特許請求の範囲に記載の記憶部に相当する。図１４のＳ１２０を行うＣＰＵ１０１が主に、特許請求の範囲に記載のリスト作成部に相当する。図１４のＳ１２５を行うＣＰＵ１０１が主に、特許請求の範囲に記載の第一リスト表示部に相当する。操作部１５０が主に、特許請求の範囲に記載のる第一操作部に相当する。図１４のＳ１２６を行うＣＰＵ１０１が主に、特許請求の範囲に記載の第一決定操作受付部に相当する。図１４のＳ１２７を行うＣＰＵ１０１が主に、特許請求の範囲に記載の第一表示情報表示部及び第二表示情報表示部に相当する。図１２のＳ７３を行うＣＰＵ５１が主に、特許請求の範囲に記載の接続部に相当する。図１４のＳ１２９の前にキー入力を受け付けるＣＰＵ１０１が主に、特許請求の範囲に記載の変更操作受付部に相当する。図１３のＳ１０３を行うＣＰＵ１０１が主に、特許請求の範囲に記載の出力部分変更部に相当する。図１４のＳ１３４を行うＣＰＵ１０１が主に、特許請求の範囲に記載の切断部に相当する。
【０１３３】
＜第二実施形態の説明＞
次に第二実施形態について説明する。第一実施形態と異なるところについて主に説明し、第一の実施形態と同じ構成については同じ符号を用いて説明する。
【０１３４】
第二実施形態の表示情報検索システム１の動作の一例について図１６を参照して説明する。図１６は、携帯電話５０と、表示装置１００との状態の遷移を表す状態遷移図である。利用者が携帯電話５０にインストールされている検索用アプリケーションプログラムを起動すると、携帯電話５０はメニュー選択画面を表示する。メニュー選択画面においては、“（１）コンテンツ検索”、“（２）ページ検索”等の複数のメニュー項目が表示される。
【０１３５】
利用者が“（１）コンテンツ検索”のメニュー項目の選択を決定すると、携帯電話５０は検索ワードを入力するための検索ワード入力画面を表示する。
【０１３６】
検索ワード入力画面において、利用者が検索ワードを入力して検索を実行する指示を入力すると、携帯電話５０は利用者に入力された検索ワードを表示装置１００に送信する。
【０１３７】
携帯電話５０から検索ワードを受信した表示装置１００は、検索中画面を表示して検索を開始する。表示装置１００は、検索ワードに基づいてコンテンツを検索するための検索インデックスファイルを予め記憶している。表示装置１００は、検索インデックスファイルを用いて検索ワードに合致するコンテンツを検索する。
【０１３８】
検索が終了すると、表示装置１００は、検索結果であるコンテンツのタイトルリストを携帯電話５０へ送信する。タイトルリストを受信した携帯電話５０は、検索結果を表示するための検索結果表示画面を表示する。検索結果表示画面には入力された検索ワードに合致したコンテンツのタイトルリストが表示される。
【０１３９】
表示されたタイトルリストの中から、利用者が所望のコンテンツの選択を決定すると、携帯電話５０は表示装置１００に対して、利用者により選択されたコンテンツを表示させるための表示指示を送信する。表示指示を受信した表示装置１００は、利用者により選択されたコンテンツの１ページ目の画像を表示する。これにより利用者は表示装置１００において所望のコンテンツを閲覧することができる。
【０１４０】
第二実施形態の携帯電話５０及び表示装置１００の外観、及び、ハードウェアの構成は第一実施形態と同様であるため、説明を省略する。
【０１４１】
＜第二実施形態における携帯電話５０の動作についての説明＞
第二実施形態における携帯電話５０の動作の詳細について説明する。利用者が検索アプリケーションプログラムを起動する操作を行うと、ＣＰＵ５１は検索アプリケーションプログラムとＯＳとに従って検索アプリ処理を開始する。この検索アプリ処理の流れは、第一実施形態において説明した図１１に示すフローチャートと略同様の流れである。Ｓ５５で行うコンテンツ検索ワード入力処理が第一実施形態と異なる。
【０１４２】
第二実施形態におけるコンテンツ検索ワード入力処理について図１７を参照して説明する。コンテンツ検索ワード入力処理は、上述の検索アプリ処理のＳ５４において、“（１）コンテンツ検索”のメニュー項目の選択が決定されたと判断した場合（Ｓ５４：ＹＥＳ）に開始される（図１１参照）。
【０１４３】
コンテンツ検索ワード入力処理を開始すると、ＣＰＵ５１は、コンテンツ検索画面（図２参照）を表示部５５に表示させる（Ｓ１７０）。コンテンツ検索画面では、利用者が検索ワードを入力するための入力ボックスが表示される。
【０１４４】
次に、利用者による検索ワードの入力を受け付ける（Ｓ１７１）。ここでは、利用者は操作部５４の文字入力キーを操作することにより検索ワードの入力を行う。ＣＰＵ５１は、操作部５４の文字入力キーの操作に応じて入力ボックスに表示している文字列を順次更新する。ＣＰＵ５１は、操作部５４の決定キーが操作された場合に、入力ボックスに入力されている文字列を検索ワードとして受け付ける。
【０１４５】
検索ワードを受け付けた後、ＣＰＵ５１は、表示装置１００とＢｌｕｅｔｏｏｔｈ接続をしているか否かを判断する（Ｓ１７２）。
【０１４６】
Ｂｌｕｔｏｏｔｈ接続をしていないと判断した場合は（Ｓ１７２：ＮＯ）、外部装置通信部６０を介して表示装置１００にＢｌｕｔｏｏｔｈ接続の接続要求を送信し、Ｂｌｔｏｏｔｈ接続を開始させ（Ｓ１７３）、Ｓ１７４へ移行する。
【０１４７】
Ｂｌｕｅｔｏｏｔｈ接続をしていると判断した場合は（Ｓ１７２：ＹＥＳ）、そのままＳ１７４へ移行する。
【０１４８】
Ｓ１７４では、コンテンツ検索指示と、Ｓ１７１で受け付けた検索ワードとを表示装置１００に送信する（Ｓ１７４）。コンテンツ検索指示を受信することで表示装置１００は、受信した検索ワードに基づいて、コンテンツの検索を行う。コンテンツの検索を行った表示装置１００は、検索結果として、検索ワードでヒットした件数と、ヒットしたコンテンツのタイトルリストを携帯電話５０に送信する。また、ヒットしたコンテンツがある場合は、そのコンテンツのプレビュー用の画像データも表示装置１００は送信する。プレビュー用の画像データは、コンテンツの１ページ目の画像データ等でよいが本発明はこれに限るものではない。表示装置１００の処理についての詳細は後述する。
【０１４９】
コンテンツ検索指示と検索ワードとを送信した後、ＣＰＵ５１は、表示装置１００から検索結果を受信したか否かを判断する（Ｓ１７５）。
【０１５０】
検索結果を受信していない場合は（Ｓ１７５：ＮＯ）、ＣＰＵ５１は、検索結果を受信するまで待機する。検索結果を受信した場合（Ｓ１７５：ＹＥＳ）、ＣＰＵ５１は検索結果があるか否かを判断する（Ｓ１７６）。検索結果があるか否かは、表示装置１００から受信した件数が０件であるか否かに基づいて判断する。
【０１５１】
検索結果がない場合は（Ｓ１７６：ＮＯ）、検索結果がなかった旨のメッセージを表示部５５に一定時間表示させた後、後述のＳ１８４へ移行してコンテンツ検索画面を再度表示させる。検索結果がある場合は（Ｓ１７６：ＹＥＳ）、表示装置１００から受信した検索結果を表示部５５に表示させる（Ｓ１７７）。検索結果として、表示装置１００から受信した件数とタイトルリストとが表示される。
【０１５２】
検索結果を表示部５５に表示させた後、ＣＰＵ５１は、検索結果のタイトルリストの中から利用者が所望のコンテンツの選択の決定等の利用者の操作を受け付ける（Ｓ１７８）。ここでは、利用者は操作部５４の十字キーを操作することによりコンテンツの選択を行う。ＣＰＵ５１は、操作部５４の十字キーの操作に応じて、選択中のコンテンツのタイトルを他のコンテンツのタイトルとは異なる表示態様で表示させる。尚、選択中のコンテンツが所望のコンテンツである場合、利用者は操作部５４の決定キーを短押し、即ち、決定キーの２秒未満の継続押下を行う。また、選択中のコンテンツのプレビュー表示をさせたい場合、利用者は操作部５４の決定キーを長押し、即ち決定キーの２秒以上の継続押下を行う。
【０１５３】
利用者の操作を受け付けた後、ＣＰＵ５１は、利用者の操作に基づいてコンテンツの選択が決定された否かを判断する（Ｓ７６）。コンテンツの選択が決定されたか否かは、操作部５４の決定キーが短押しされたか否かに基づいて判断する。
【０１５４】
利用者により選択中のコンテンツの決定が行われた場合は（Ｓ７６：ＹＥＳ）、選択中のコンテンツを表示させるための表示指示を表示装置１００に送信し（Ｓ１８３）、Ｓ１８４へ移行する。
【０１５５】
選択中のコンテンツの決定が行われていない場合、即ち、操作部５４の決定キーが長押しされた場合（Ｓ１７９：ＮＯ）、ＣＰＵ５１は、表示装置１００から受信したプレビュー用の画像を表示部５５に表示させる（Ｓ１８１）。
【０１５６】
プレビュー用の画像を表示部５５に表示させた後、ＣＰＵ５１はプレビュー表示したコンテンツの選択を決定する操作が行われたか否かを判断する（Ｓ１８２）。プレビュー表示のコンテンツの選択が決定されたか否かは、プレビュー画像の表示中に操作部５４の決定キーが押下されるか、キャンセルキーが押下されるかに基づいて判断する。
【０１５７】
利用者により決定キーが押下された場合は（Ｓ１８２：ＹＥＳ）、プレビュー表示中のコンテンツを表示させるための表示指示を表示装置１００に送信し（Ｓ１８３）、Ｓ１８４へ移行する。
【０１５８】
利用者によりキャンセルキーが押下された場合は（Ｓ１８２：ＮＯ）、Ｓ１７７へ移行し、再び検索結果を表示する。
【０１５９】
Ｓ１８４において、ＣＰＵ５１は、表示部５５にコンテンツ検索画面を再度表示させる（Ｓ１８４）。
【０１６０】
表示部５５にコンテンツ検索画面を表示した後、ＣＰＵ５１は、利用者が操作部５４を操作したか否かを判断する（Ｓ１８５）。
【０１６１】
利用者が操作部５４を操作したと判断した場合は（Ｓ１８５：ＹＥＳ）、Ｓ１７１へ戻り再び検索ワードの入力を受け付ける。
【０１６２】
利用者が操作部５４を操作していないと判断した場合は（Ｓ１８５：ＮＯ）、携帯電話５０が操作中でないかどうかの問い合わせを受信したか否かを判断する（Ｓ１８６）。
【０１６３】
携帯電話５０が操作中でないかどうかの問い合わせを受信していないと判断した場合は（Ｓ１８６：ＮＯ）、Ｓ１８５へ戻り、利用者からの操作がされるか表示装置１００から携帯電話５０が操作中でないかどうかの問い合わせを受信するまで待機する。
【０１６４】
携帯電話５０が操作中でないかどうかの問い合わせを受信した場合は（Ｓ１８６：ＹＥＳ）、ＣＰＵ５１は、表示装置１００に対して携帯電話５０が操作中でない旨の情報を送信する（Ｓ１８７）。
【０１６５】
携帯電話５０が操作中でない旨の情報を送信した後、ＣＰＵ５１は、外部装置通信部６０にＢｌｕｅｔｏｏｔｈ接続を切断させて（Ｓ１８８）、コンテンツ検索ワード入力処理を終了する。
【０１６６】
＜第二実施形態における表示装置１００の動作についての説明＞
第二実施形態における表示装置１００の動作の詳細について説明する。電源キー１５１が押下されると、表示装置１００の電源からＣＰＵ１０１に電力の供給が開始され、ＣＰＵ１０１は表示装置処理を開始する。この表示装置処理の流れは、第一実施形態において説明した図１３に示すフローチャートと略同様の流れである。Ｓ１１０で行うコンテンツ検索処理が第一実施形態と異なる。
【０１６７】
第一実施形態と異なるコンテンツ検索処理について図１８を参照して説明する。表示装置処理のＳ１０９において、コンテンツ検索指示を受信したと判断した場合（Ｓ１０９：ＹＥＳ），ＣＰＵ１０１はコンテンツ検索処理を開始する。
【０１６８】
コンテンツ検索処理を開始すると、ＣＰＵ１０１は、コンテンツ検索指示とともに受信した検索ワードに基づいて、検索処理を行う（Ｓ２２０）。検索処理については第一実施形態のＳ１２０と同様である。検索処理では、受け付けた検索ワードに合致するコンテンツの件数の算出と、検索ワードに合致するコンテンツのタイトルリストの作成を行う。
【０１６９】
検索処理を行ったあと、ＣＰＵ１０１は検索結果が存在するか否かを判断する（Ｓ２２１）。Ｓ２２０で算出した件数が０件の場合は（Ｓ２２１：ＮＯ）、ヒット件数が０件であることを示す検索結果を携帯電話５０へ送信し（Ｓ２２２）、後述のＳ２２７へ移行する。
【０１７０】
Ｓ２２０で算出した件数が１件以上の場合は（Ｓ２２１：ＹＥＳ）、ＣＰＵ１０１は、検索結果として、ヒットしたコンテンツの件数と、ヒットしたコンテンツのタイトルリストと、ヒットしたコンテンツのプレビュー用の画像データとを携帯電話５０へ送信する（Ｓ２２３）。上述の通り、検索結果を受信した携帯電話５０は、利用者により選択されたコンテンツを表示させるための表示指示を表示装置１００に送信する。
【０１７１】
検索結果を表示装置１００へ送信した後、ＣＰＵ１０１は、表示装置１００から表示指示を受信したか否かを判断する（Ｓ２２４）。表示指示を受信していない場合は（Ｓ２２４：ＮＯ）、表示指示を受信するまで待機する。
【０１７２】
表示指示を受信した場合は（Ｓ２２４：ＹＥＳ）、受信した表示指示に基づいて、利用者により選択されたコンテンツの１ページ目の画像を、不揮発性表示部１０６に表示させる対象ページとして表示し（Ｓ２２５）、表示画像情報記憶領域２０４の表示画像情報を更新し（Ｓ２２６）、Ｓ２２７へ移行する。
【０１７３】
Ｓ２２７では、操作キー１５８が利用者により操作されるか否かを判断する（Ｓ２２７）。
【０１７４】
操作キー１５８が操作されと判断した場合は（Ｓ２２７：ＹＥＳ）、ＣＰＵ１０１は、携帯電話５０に対して、携帯電話５０が操作中でないかどうかの問い合わせを送信する（Ｓ２３０）。
【０１７５】
携帯電話５０が操作中でないかどうかの問い合わせを送信した後、ＣＰＵ１０１は、携帯電話５０が操作中でない旨の情報を携帯電話５０から受信したか否かを判断する（Ｓ２３１）。
【０１７６】
携帯電話５０が操作中でない旨の情報を受信した場合は（Ｓ２３１：ＹＥＳ）、ＣＰＵ１０１はＢｌｕｅｔｏｏｔｈ接続の切断を行い（Ｓ２３２）、コンテンツ検索処理を終了する。携帯電話５０が操作中でない旨の情報を受信していない場合は（Ｓ２３１：ＮＯ）、Ｓ２２７へ戻る。
【０１７７】
尚、Ｓ２２７で操作キー１５８が操作されたと判断された場合は、コンテンツ検索処理を終了後、表示装置処理のＳ１０３において、押下された操作キー１５８に応じて画像の書きかえが行われることになる（図１３参照）。具体的には、Ｓ２２５においてコンテンツの1ページ目の画像を表示後、操作キー１５８が押下された場合は、選択されたコンテンツの1ページ目と、押下された操作キー１５８のキーの種類に応じた画像に書きかえられ得る。例えば、次キー１５５が押下された場合は、コンテンツの２ページ目の画像に書きかえられる。尚、Ｓ２２１において、検索ワードに合致するコンテンツがなかったと判断された場合は、不揮発性表示パネル１０６にはＳ２２０において検索中画面が表示されたままである。この場合、操作キー１５８が押下された場合は、押下された操作キー１５８の種類にかかわらず、メニュー画面に書きかえられる。
【０１７８】
Ｓ２２７において、操作キー１５８が操作されていないと判断した場合は（Ｓ２２７：ＮＯ）、ＣＰＵ１０１は、携帯電話５０より再びコンテンツ検索指示を受信するか否かを判断する（Ｓ２２８）。上述のコンテンツ検索ワード入力処理（図１７参照）のＳ１８５において、操作有りと判断され（Ｓ１８５：ＹＥＳ）、携帯電話５０において再び利用者が検索ワードを入力し（Ｓ１７１）、携帯電話５０から表示装置１００にコンテンツ検索指示が再び送信（Ｓ１７４）された場合、Ｓ２２８でコンテンツ検索指示が受信されたと判断される。
【０１７９】
コンテンツ検索指示を受信したと判断した場合（Ｓ２２８：ＹＥＳ）、上述のＳ２２０へ戻り、再び検索処理を行う。
【０１８０】
コンテンツ検索指示を受信していないと判断した場合（Ｓ２２８：ＮＯ）、ＣＰＵ１０１は、タイマーのカウントをスタートし、所定時間（例えば３０秒）が経過するか否かを判断する（Ｓ２２９）。
【０１８１】
所定時間が経過していない場合は（Ｓ２２９：ＮＯ）、Ｓ２２７へ戻る。操作キー１５８の操作が行われず、コンテンツ検索指示も受信しないまま、所定時間が経過した場合は（Ｓ２２９：ＹＥＳ）、ＣＰＵ１０１は、携帯電話５０が操作中でないかどうかの問い合わせを携帯電話５０へ送信し（Ｓ２３０）、携帯電話５０が操作中でない旨の情報を受信した（Ｓ２３１：ＹＥＳ）後、Ｂｌｕｅｔｏｏｔｈ接続の切断を行い（Ｓ２３２）、コンテンツ検索処理を終了する。
【０１８２】
尚、図１９のＳ３０１を行うＣＰＵ１０１が主に、特許請求の範囲に記載の第一プレビュー表示決定操作受付部に相当する。図１９のＳ３０３を行うＣＰＵ３０３が主に、特許請求の範囲に記載の第一プレビュー表示部に相当する。図１９のＳ３０４を行うＣＰＵ１０１が主に、特許請求の範囲に記載のプレビュー切り替え操作受付部に相当する。図１９のＳ３０６を行うＣＰＵ１０１が主に、特許請求の範囲に記載のプレビュー画像切り替え部に相当する。
【０１８３】
＜第一実施形態の変形例＞
第一実施形態の変形例を説明する。第一実施形態の表示装置１００が行うコンテンツ検索処理におけるＳ１２６（図１４）が、変形例では異なる。第一実施形態のコンテンツ検索処理においては、Ｓ１２６において、コンテンツのタイトルリストを表示させた後、タイトルリストの中から利用者が所望のコンテンツを選択するのを受け付ける。上述の第一実施形態においては、利用者は選択したいコンテンツのタイトルに対応する位置の選択キー１５７を押下することにより、所望のコンテンツを選択することとした。しかし、変形例においては、タイトルリストを表示させた後、表示装置１００は、利用者の所望のコンテンツの選択を受け付けるだけでなく、利用者がプレビュー表示させるために行うコンテンツの選択も受け付ける。そしてプレビュー表示させるコンテンツとして選択されたコンテンツのプレビュー画像の表示を行う。
【０１８４】
図１９を参照して、この変形例について説明する。図１９は表示装置１００のＣＰＵ１０１が行うコンテンツ検索処理の一部の流れを示したフローチャートである。
【０１８５】
図１４に示したＳ１２５において、検索結果であるコンテンツのタイトルリストを不揮発性表示パネル１０６に表示させた後、ＣＰＵ１０１は、利用者の操作の受付を行う（Ｓ３０１）。具体的には、利用者による選択キー１５７の短押もしくは長押の押下操作の受付を行う。利用者は、タイトルリストの中から表示させるコンテンツの決定を行いたい場合、選択キー１５７の短押、即ち、選択キー１５７の２秒未満の継続した押下操作を行う。また、タイトルリスト中の所望のコンテンツのプレビュー表示を行いたい場合、選択キー１５７の長押し、即ち、選択キー１５７の２秒以上の継続した押下操作を行う。このとき、利用者はタイトルリスト中の所望のコンテンツのタイトルに対応する位置の選択キー１５７の押下を行う。
【０１８６】
利用者の操作の受付を行ったあと、ＣＰＵ１０１は、受け付けた操作が表示するコンテンツの決定であるか否かを判断する（Ｓ３０２）。
【０１８７】
受け付けた操作が決定である場合は（Ｓ３０２：ＹＥＳ）、上述のＳ１２７（図１４参照）に移行し、利用者により選択されたコンテンツの１ページ目の画像の表示を行う。
【０１８８】
受け付けた操作が決定でない場合、即ち、プレビュー表示を指示する操作であった場合は（Ｓ３０２：ＮＯ）、利用者により押下された選択キー１５７に対応するコンテンツのプレビュー画像を、不揮発性表示パネル１０６に表示させる（Ｓ３０３）。
【０１８９】
プレビュー画像を表示させた後、ＣＰＵ１０１は、利用者による操作の受付を行う（Ｓ３０３）。利用者は、プレビュー画像を表示中のコンテンツの表示を決定させたい場合、複数ある選択キー１５７のいずれかの選択キー１５７の押下を行う。また、作成されたタイトルリスト中の表示中とは別のコンテンツのプレビュー画像を表示させたい場合、次キー１５５若しくは前キー１５６のいずれかのキーの押下を行う。次キー１５５が押下された場合、後述のＳ３０６において、タイトルリストにおいて、表示中のコンテンツの次の順序のコンテンツのプレビュー画像に書きかえられる。前キー１５６が押下された場合、タイトルリスト中の前の順序のコンテンツのプレビュー画像に書きかえられる。このように、利用者は次キー１５５若しくは前キー１５６を押下することによりプレビュー画像の切り替え操作を行う。
【０１９０】
利用者の操作を受け付けた後、ＣＰＵ１０１は、受け付けた操作がコンテンツの表示の決定であるか否かを判断する（Ｓ３０５）。
【０１９１】
受け付けた操作が決定である場合は（Ｓ３０５：ＹＥＳ）、上述のＳ１２７へ移行して、プレビュー画像を表示していたコンテンツの１ページ目の画像を表示させる。
【０１９２】
受け付けた操作が決定でない場合、即ち、別のプレビュー画像に切り替える操作である場合は（Ｓ３０５：ＮＯ）、押下されたキーに応じて別のコンテンツのプレビュー画像を不揮発性表示パネル１０６に表示させ（Ｓ３０６）、Ｓ３０４へ移行し再び利用者の操作の受付を行う。
【０１９３】
尚、図１８のＳ２２３を行うＣＰＵ１０１が主に、特許請求の範囲に記載のリスト送信部に相当する。図１７のＳ１７７を行うＣＰＵ５１が主に、特許請求の範囲に記載の第二リスト表示部に相当する。図１７のＳ１７８を行うＣＰＵ５１が主に、特許請求の範囲に記載の第二決定操作受付部に相当する。図１７のＳ１８３を行うＣＰＵ１８３が主に、特許請求の範囲に記載の表示指示送信部に相当する。図１８のＳ２２５を行うＣＰＵ１０１が主に、特許請求の範囲に記載の第三表示情報表示部に相当する。図１７のＳ１７８を行うＣＰＵ５１が主に、特許請求の範囲に記載の第二プレビュー表示決定操作受付部に相当する。図１７のＳ１８１を行うＣＰＵ５１が主に、特許請求の範囲に記載の第二プレビュー表示部に相当する。
【０１９４】
＜その他の例＞
尚、本発明は上述の説明のものに限られるものではない。本発明は様々な変形が考えられる。以下のその一例について説明する。
【０１９５】
上述の実施形態においては、検索条件の一例として検索ワードを入力させる表示情報検索システム１をあげて説明したが、本発明はこれに限らない。例えば、コンテンツの作成日時や、コンテンツの閲覧日時、コンテンツのタイトル等を検索条件として入力させる表示情報検索システムであってもよい。若しくは、これらの組み合わせを検索条件として利用者に入力させてもよい。この場合、表示装置１００は、コンテンツデータの属性情報を参照して検索を行う。
【０１９６】
上述の実施形態においては、コンテンツデータは、１ページごとに一つの画像データを備えたデータ構造であるものとして説明したがこれに限られるものではない。たとえば、一つの大きな画像データを備え、その画像の一部分を分割して不揮発性表示パネル１０６に表示するようなデータ構造でもよい。この場合、表示する部分を検索対象の表示情報としてもよい。
【０１９７】
上述の実施形態においては、コンテンツデータは、ＰＤＦ（登録商標）等の形式の汎用されている電子ファイルを、独自形式に変換したものであるとして説明した。しかし、本発明の検索対象である表示情報はこれに限られない。表示装置１００が汎用されている電子ファイルを表示する機能を有し、コンテンツとしてその汎用されている電子ファイルをメモリカード１２０に記録していれば、その電子ファイルを検索対象として検索するようにすればよい。この場合、電子ファイルのファイル名や、そのファイルの作成日時等の属性情報を検索条件として検索することができる。また、その電子ファイルが不揮発性表示パネル１０６に表示する部分毎に属性情報を備えていれば、その部分を検索対象の表示情報として検索することができる。
【０１９８】
また、上述の実施形態においては、コンテンツデータは、ＰＣの変換用のアプリケーションプログラムにより変換され、メモリカード１２０に記憶されたものであると説明したが、これに限らない。電子書籍等のコンテンツのコンテンツデータを、検索インデックスファイルに登録される検索ワードと共に、ネットワークを介してサーバからダウンロードしたものであっても良い。
【０１９９】
上述の実施形態においてはプレビュー用の画像データは、コンテンツの１ページ目の画像データであるものとして説明したが、これに限らない。コンテンツの１ページ目の画像を縮小したサムネイル画像であっても良い。また、１ページ目以外のページの画像でもよいし、複数ページを組み合わせて作成した画像でもよい。どのような形態であってもよい。また、ページを検索する場合は、そのページのサムネイル画像であってもよい。
【０２００】
また、上述の実施形態においては、検索用装置がスマートフォンである携帯電話５０であるものとして説明したが、ネットブック等のモバイル端末等を検索用装置として用いても良い。
【０２０１】
また、上述の実施形態においては、携帯電話５０は操作部５４のキー入力に利用者の検索ワードの入力を受け付けるものとして説明したが、本発明はこれに限定されるものではない。たとえば、検索用装置としてはタッチパネルを備え、利用者のタッチパネルの操作により、検索ワードの受け付けを行うものでもよい。
【０２０２】
また、上述の第一実施形態においては、検索結果である表示情報のリストは、表示装置１００に表示させるものとして説明したが、表示情報のリストを表示装置１００に表示させるとともに、補足的に携帯電話５０に表示させてもよい。この場合、表示装置１００は、検索結果のリストを不揮発性表示パネル１０６に表示させるとともに、通信部１３０を介して携帯電話５０に検索結果のリストを送信する。これにより携帯電話５０は、受信した検索結果のリストを表示部５５に表示させる。
【符号の説明】
【０２０３】
５０    携帯電話
５１    ＣＰＵ
５２    ＲＡＭ
５３    ＲＯＭ
５４    操作部
５５    表示部
５６    スピーカ部
５７    マイクロフォン部
５８    バイブレーション部
５９    第一通信部
６０    外部装置通信部
６１    内蔵メモリ部
６２    バス
１００    表示装置
１０１    ＣＰＵ
１０２    ＲＡＭ
１０３    ＲＯＭ
１０５    表示コントローラ
１０６    不揮発性表示パネル
１０９    メモリカードインターフェース
１１１    バス
１２０    メモリカード
１３０    通信部
１５０    操作部
【図１】
2011076401.tif 000003
【図２】
2011076401.tif 000004
【図３】
2011076401.tif 000005
【図４】
2011076401.tif 000006
【図５】
2011076401.tif 000007
【図６】
2011076401.tif 000008
【図７】
2011076401.tif 000009
【図８】
2011076401.tif 000010
【図９】
2011076401.tif 000011
【図１０】
2011076401.tif 000012
【図１１】
2011076401.tif 000013
【図１２】
2011076401.tif 000014
【図１３】
2011076401.tif 000015
【図１４】
2011076401.tif 000016
【図１５】
2011076401.tif 000017
【図１６】
2011076401.tif 000018
【図１７】
2011076401.tif 000019
【図１８】
2011076401.tif 000020
【図１９】
2011076401.tif 000021